(57)【要約】      （修正有）【課題】店頭での包装作業を簡略化するとともに、装飾の結び目を解いて包装を解くときのワクワク感を減殺することがない装飾包装体を提供する。【解決手段】第１のリボン１と第２のリボン２を備え、第１のリボンの一端側５と第２のリボンの一端側６により、解くことが可能な装飾的結び目３が形成され、第２のリボン２は上記装飾的結び目３を通過して被包装物を巻回するためのループ９を形成し、上記第１のリボンの他端側７と第２のリボンの他端側８の少なくともいずれかには、第１のリボン１と第２のリボン２の両他端側７，８によって被包装物を巻回した状態で、両他端側７，８を被包装物に固定するための固定部１０が形成されている。これにより、店頭での包装作業を簡略化し、装飾の結び目を解いて包装を解くときのワクワク感も減殺することがない。【選択図】図１
0003171214.tif 000002
【実用新案登録請求の範囲】
【請求項１】
被包装物に対して装飾と包装を施すための装飾包装体であって、
第１のリボン状体と第２のリボン状体を備え、
第１のリボン状体の一端側と第２のリボン状体の一端側により、解くことが可能な装飾的結び目が形成され、
第１のリボン状体は上記装飾的結び目を通過して被包装物を巻回するためのループを形成し、
上記第１のリボン状体の他端と第２のリボン状体の他端の少なくともいずれかには、第１のリボン状体と第２のリボン状体の両他端側によって被包装物を巻回した状態で、両他端側を被包装物に固定するための固定部が形成されていることを特徴とする装飾包装体。
【考案の詳細な説明】
【技術分野】
【０００１】
本考案は、店頭での包装作業を簡略化するとともに、装飾の結び目を解いて包装を解くときのワクワク感を減殺することがない装飾包装体に関する。
【背景技術】
【０００２】
従来より、贈答品等の商品等を包装する際に、装飾を施すためにリボンを結ぶことが行われている。このようなリボン装飾は、商品の売り場の店員もしくは顧客自身により行われるが、リボンを見栄えよく綺麗に結ぶのには熟練を要し、慣れた店員でもかなりの時間をかけなければならなかった。そこで、最近では、あらかじめリボンに蝶結び部を設けておき、商品に簡単に取り付けることができる装飾用リボン等が提案されている（例えば下記の特許文献１〜３）。
【先行技術文献】
【特許文献】
【０００３】
【特許文献１】実用新案登録第３１２５６５５号公報
【特許文献２】実用新案登録第３１３５８９２号公報
【特許文献３】実用新案登録第３１５４６６２号公報
【考案の概要】
【考案が解決しようとする課題】
【０００４】
特許文献１には、装飾用のボウ（１４）の結び目（２０）にリボン片を通過させてループ（１６）を形成した装飾品が記載されている。この装飾品は、包装瓶（１２）にループ（１６）を引っ掛けて装飾することが行われる。なお、括弧内の符号は、各公報に記載のものである。
上記特許文献１の装飾品では、ループ（１６）を包装瓶（１２）から外して装飾を外すだけであり、リボンの結びを解いて装飾的包装を解くことはできない。したがって、贈答品を受け取ったユーザーは、リボンの結び目を解くことによる装飾的包装を解くときの、一種のワクワク感を感じることができない。それどころか、ボウ（１４）にリボン片を通過させただけの装飾品に、帰って興ざめする気分を味わってしまうこともあった。
【０００５】
特許文献２には、一本のリボン（３０）と、挿通部を有する装飾体（２０）を有し、挿通部にリボン（３０）を通して複数の輪（３０ａ，３０ｂ）を形成したリボン装飾体が記載されている。
上記特許文献２のリボン装飾体では、装飾体（２０）の結びを解いて装飾的包装を解くことはできない。したがって、贈答品を受け取ったユーザーは、リボンの結び目を解くことによる装飾的包装を解くときの、一種のワクワク感を感じることができない。それどころか、装飾体（２０）の挿通部にリボン（３０）を通過させただけのリボン装飾体に、帰って興ざめする気分を味わってしまうこともあった。
【０００６】
特許文献３には、装飾折りたたみ部（２）を樹脂パイプ（３）で取り付け部（１）に固定し、取り付け部（１）両端の両面粘着テープ（５）によって商品に巻きつけて固定するようにした装飾用リボンが記載されている。
上記特許文献３の装飾用リボンは、店頭でリボンを蝶結びする包装作業を簡略化することができるものである。
しかしながら、結び目状になった装飾折りたたみ部（２）を解こうとしてリボンの切れ端を引っ張っても、樹脂パイプ（３）で固定された結び目状部は解けない。したがって、贈答品を受け取ったユーザーは、リボンの結び目を解くことによって包装を解くときの、一種のワクワク感を感じることができない。それどころか、樹脂パイプ（３）で固定された結び目状部に、帰って興ざめする気分を味わってしまうこともあった。
【０００７】
本考案は、上記課題を解決するためになされたものであり、店頭での包装作業を簡略化するとともに、装飾の結び目を解いて包装を解くときのワクワク感を減殺することがない装飾包装体を提供することをその目的とする。
【課題を解決するための手段】
【０００８】
上記の目的を達成するため、本考案の装飾包装体は、被包装物に対して装飾と包装を施すための装飾包装体であって、
第１のリボン状体と第２のリボン状体を備え、
第１のリボン状体の一端側と第２のリボン状体の一端側により、解くことが可能な装飾的結び目が形成され、
第１のリボン状体は上記装飾的結び目を通過して被包装物を巻回するためのループを形成し、
上記第１のリボン状体の他端と第２のリボンの他端の少なくともいずれかには、第１のリボンと第２のリボン状体の両他端側によって被包装物を巻回した状態で、両他端側を被包装物に固定するための接着部が形成されていることを要旨とする。
【考案の効果】
【０００９】
本考案の装飾包装体により、被包装物を装飾包装する際には、上記装飾的結び目が被包装物の前面や上面等の目立つところに配置されるよう、第１のリボン状体で形成されたループを被包装物に巻回させた状態にする。ついで、第１のリボン状体の他端側と第２のリボン状体の他端側を被包装物に巻回させ、その状態で両他端側が被包装物に固定するよう固定部を固定する。
このような装飾包装体で包装された被包装物の包装を解くときには、解くことが可能な装飾的結び目を解くと、その結び目を通過させて形成されていたループが解ける。同時に、被包装物に巻回された第１のリボン状体と第２のリボン状体の両他端側も、装飾的結び目から解除され、第１のリボン状体と第２のリボン状体を被包装物から取り外すことができる。
以上のように、被包装物を装飾包装する際には、ループを巻回させて固定部を固定させるだけでよく、店頭で蝶結びをするといった作業を大幅に簡略化することができる。一方、包装を解くときには、装飾的結び目を解けば第１のリボン状体と第２のリボン状体を被包装物から取り外すことができる。このように、店頭での包装作業を簡略化し、装飾的結び目を解いて包装を解くときのワクワク感も減殺することがない。
【図面の簡単な説明】
【００１０】
【図１】本考案の一実施の形態における装飾包装体を示す図である。
【図２】上記装飾包装体で被包装物を包装した状態を示す図である。
【図３】上記装飾包装体の結び目を展開した一例を示す図である。
【考案を実施するための形態】
【００１１】
以下、本考案の装飾包装体の実施の形態について詳細に説明する。
【００１２】
図１は本考案の一実施形態における装飾包装体を示す図である。
図２は上記装飾包装体を使用して被包装物を包装した状態を示す斜視図であり、（Ａ）は正面側、（Ｂ）は背面側である。
図３は上記装飾包装体の結び目を展開した一例を示す図である。
【００１３】
この装飾包装体は、リボン状体の具体例としてリボンを使用した例を示したものであり、被包装物４に対して装飾と包装を施すためのものであり、第１のリボン１と第２のリボン２とを備えている。
【００１４】
この例では、上記第１のリボン１は、第２のリボン２よりも相対的に長さ寸法が短く設定されており、上記第２のリボン２は、第１のリボン１よりも相対的に長さ寸法が長く設定されている。
【００１５】
第１のリボンの一端側５と第２のリボンの一端側６により、解くことが可能な装飾的結び目３が形成される。この例では、蝶結びが施されたものを示している。この装飾的結び目３は、装飾的な外観を呈していて、例えばリボンの端部を引っ張ることにより容易に解くことができる。
【００１６】
第２のリボン２は、上記装飾的結び目３を通過して被包装物４を巻回するためのループ９を形成している。ループ９は、第２のリボン２の一端側６と第２のリボンの他端側８の間の部分で形成されている。
【００１７】
上記第１のリボンの他端側７と第２のリボンの他端側８の少なくともいずれかには、第１のリボン１と第２のリボン２の両他端側７，８によって被包装物４を巻回した状態で、両他端側７，８を被包装物４に固定するための固定部１０が形成されている。この例では、固定部１０は、第１のリボンの他端側７に形成された接着部であり、具体的には両面粘着テープが使用されている。
【００１８】
この例では、第２のリボン２で形成したループ９を被包装物４に対して横方向に巻回させる。また、第１のリボンの他端側７と第２のリボンの他端側８を、被包装物４に対して上記ループ９とクロスする方向すなわち縦方向に巻回させる。そして、第１のリボンの他端側７に設けた両面粘着テープ（固定部１０）により、第１のリボンの他端側７と第２のリボンの他端側８とを接合する。これにより、第１のリボンの他端側７と第２のリボンの他端側８で形成されたループ状部分が被包装物４に対して縦方向に巻回される。
【００１９】
以上のように、本実施形態の装飾包装体は、被包装物４を装飾包装する際には、上記装飾的結び目３が被包装物４の前面や上面等の目立つところに配置されるよう、第２のリボン２で形成されたループ９を被包装物４に巻回させた状態にする。ついで、第１のリボンの他端側７と第２のリボンの他端側８を被包装物４に巻回させ、その状態で両他端側７，８が被包装物４に固定するよう固定部１０を固定する。
【００２０】
このような装飾包装体で包装された被包装物４の包装を解くときには、解くことが可能な装飾的結び目３を解くと、その結び目を通過させて形成されていたループ９が解ける。同時に、被包装物４に巻回された第１のリボン１と第２のリボン２の両他端側７，８も、装飾的結び目３から解除され、第１のリボン１と第２のリボン２を被包装物４から取り外すことができる。
【００２１】
以上のように、被包装物４を装飾包装する際には、ループ９を巻回させて固定部１０を固定させるだけでよく、店頭で蝶結びをするといった作業を大幅に簡略化することができる。一方、包装を解くときには、装飾的結び目３を解けば第１のリボン１と第２のリボン２を被包装物４から取り外すことができる。このように、店頭での包装作業を簡略化し、装飾的結び目３を解いて包装を解くときのワクワク感も減殺することがない。
【００２２】
上記実施形態では、装飾的結び目３を蝶結び状に形成したが、これに限定するものではなく、例えばバラやカーネーションに見えるような花状に形成する等することもできる。
【００２３】
また、上記実施形態では、ループ９を被包装物４に対して横方向に巻回し、第１のリボン１と第２のリボン２の両他端側７，８を縦方向に巻回するようにしたが、ループ９を被包装物４に対して縦方向に巻回し、第１のリボン１と第２のリボン２の両他端側７，８を横方向に巻回するようにしてもよい。
【００２４】
また、上記実施形態では、ループ９は横方向に形成されているが、被包装物４の形態、サイズによっては、縦方向のループ９を形成する場合もある。また、上記実施形態では、リボン状体としてリボンを使用した例を説明したが、これに限定するものではなく、リボン状体として紐やゴムひもなどを使用することもできる。
【００２５】
また、上記実施形態では、固定部１０を両面粘着テープによる接着部として形成するようにしたが、これに限定するものではなく、例えば両端側７，８同士を連結する伸縮ゴムにより固定部１０を形成し、両端部側７，８をゴム止めすることにより固定することもできる。さらに、上記固定部１０は、あらかじめ粘着テープやゴムを取り付けるのではなく、リボンの切り離し状態にとどめ、店頭でテープ止めすることにより被包装物４に対して固定する態様も含む趣旨である。
【００２６】
さらに、固定部１０は、第１のリボンの他端側７と第２のリボンの他端側８同士を結合するだけでなく、第１のリボンの他端側７と第２のリボンの他端側８をそれぞれ被包装物４に対して直接接着等することにより固定する態様も含まれる趣旨である。
【符号の説明】
【００２７】
１：第１のリボン
２：第２のリボン
３：装飾的結び目
４：被包装物
５：第１のリボンの一端側
６：第２のリボンの一端側
７：第１のリボンの他端側
８：第２のリボンの他端側
９：ループ
１０：固定部
【図１】
0003171214.tif 000003
【図２】
0003171214.tif 000004
【図３】
0003171214.tif 000005